(57)【要約】【課題】クーラント濃度の安定化が図られるクーラント供給ガン及びそのヘッド部に取り付けられる先端取付アタッチメントの提供を目的とする。【解決手段】本発明に係るクーラント供給ガン１０では、ヘッド部１２に形成されたヘッド内流路２０にベンチュリ部２１が形成され、給水栓５１からの水がヘッド内流路２０を通過するときにクーラント原液をベンチュリ部２１に引き込んで混合し、ヘッド部１２の先端開口４０Ａからクーラントを吐出する。そして、クーラント供給ガン１０では、ヘッド内流路２０のうちベンチュリ部２１より下流側に、流路断面積が縮小された第２絞り部４１が設けられている。【選択図】図２
2015208733.tif 000002
【特許請求の範囲】
【請求項１】
直線筒状をなすヘッド部の内側に形成されて加圧給水源からの水が通過可能なヘッド内流路に、流路断面積を絞って負圧を発生させ、その負圧によりクーラント原液を引き込んで混合するベンチュリ部を備えて、前記ヘッド部の先端開口からクーラントを吐出するクーラント供給ガンであって、
前記ヘッド内流路のうち前記ベンチュリ部より下流側に、流路断面積を縮小する絞り部を設けたことを特徴とするクーラント供給ガン。
【請求項２】
前記ヘッド部に、直線状に延びて流路断面積を絞るノズルと、そのノズルの先方に間隔を空けて配置されかつ流路断面積を徐々に広げるディフューザと、前記ノズルと前記ディフューザとが両端部に接続されかつ前記クーラント原液を引き込むための分岐路を有する分岐管と、を備えて、それらノズル、分岐管及びディフューザにより前記ベンチュリ部が形成され、
前記ヘッド部に、前記ディフューザと嵌合して前記先端開口を形成する先端スリーブを設け、その先端スリーブに前記絞り部を備えたことを特徴とする請求項１に記載のクーラント供給ガン。
【請求項３】
前記絞り部の下流側端部の流路断面積を、前記ディフューザのうち流路が最も狭くなる部分の流路断面積よりも大きくして、
前記ヘッド内流路のうち前記絞り部より下流側部分を、流路断面積が一定かつ直線状にしたことを特徴とする請求項２に記載のクーラント供給ガン。
【請求項４】
前記絞り部は、テーパ状に形成されたことを特徴とする請求項１乃至３のうち何れか１の請求項に記載のクーラント供給ガン。
【請求項５】
直線筒状をなすヘッド部の内側に形成されたヘッド内流路にベンチュリ部を備えて、前記ヘッド内流路を加圧給水源からの水が通過するときにクーラント原液を引き込んで混合し、前記ヘッド部の先端開口からクーラントを吐出するクーラント供給ガンの前記ヘッド部の先端部に取り付けられる先端取付アタッチメントであって、
直線筒状をなして前記ヘッド部と嵌合し、内側断面積を縮小する絞り部を備えたことを特徴とする先端取付アタッチメント。
【発明の詳細な説明】
【技術分野】
【０００１】
本発明は、水とクーラント原液とを混合し、その混合液としてのクーラントをヘッド部から吐出するクーラント供給ガン及びそのヘッド部に取り付けられる先端取付アタッチメントに関する。
【背景技術】
【０００２】
従来、水と原液とを混合する混合器として、加圧給水源からの水が通過するストレート管に、流路断面積を絞って負圧を発生させるベンチュリ部を備えて、そのベンチュリ部を水が通過するときのエジェクター効果により原液をベンチュリ部に引き込んで、水と原液とを混合するものが知られている（例えば、特許文献１参照）。そして、近年、図７に示すように、直線筒状のヘッド部９１に上述したベンチュリ部２１を備えた混合器の構造を適用して、ヘッド部９１の先端開口９１Ａからクーラントを吐出するクーラント供給ガン９０が提案されている。
【先行技術文献】
【特許文献】
【０００３】
【特許文献１】特開２００６−９５００４号公報（段落［００２２］、［００２３］、図１）
【発明の概要】
【発明が解決しようとする課題】
【０００４】
しかしながら、上述したクーラント供給ガンでは、クーラント濃度が安定しないという問題あった。
【０００５】
本発明は、上記事情に鑑みてなされたものであり、クーラント濃度の安定化が図られるクーラント供給ガン及びそのヘッド部に取り付けられる先端取付アタッチメントの提供を目的とする。
【課題を解決するための手段】
【０００６】
本願発明者は、上記課題を解決すべく鋭意検討した結果、ヘッド内流路のうちベンチュリ部より下流側に流路断面積を縮小する絞り部を設けると、クーラント濃度のばらつきが小さくなるという知見を得て、以下の請求項１〜５の発明をするに至った。
【０００７】
即ち、請求項１の発明に係るクーラント供給ガンは、直線筒状をなすヘッド部の内側に形成されて加圧給水源からの水が通過可能なヘッド内流路に、流路断面積を絞って負圧を発生させ、その負圧によりクーラント原液を引き込んで混合するベンチュリ部を備えて、ヘッド部の先端開口からクーラントを吐出するクーラント供給ガンであって、ヘッド内流路のうちベンチュリ部より下流側に、流路断面積を縮小する絞り部を設けたところに特徴を有する。
【０００８】
請求項２の発明は、請求項１に記載のクーラント供給ガンにおいて、ヘッド部に、直線状に延びて流路断面積を絞るノズルと、そのノズルの先方に間隔を空けて配置されかつ流路断面積を徐々に広げるディフューザと、ノズルとディフューザとが両端部に接続されかつクーラント原液を引き込むための分岐路を有する分岐管と、を備えて、それらノズル、分岐管及びディフューザによりベンチュリ部が形成され、ヘッド部に、ディフューザと嵌合して先端開口を形成する先端スリーブを設け、その先端スリーブに絞り部を備えたところに特徴を有する。
【０００９】
請求項３の発明は、請求項２に記載のクーラント供給ガンにおいて、絞り部の下流側端部の流路断面積を、ディフューザのうち流路が最も狭くなる部分の流路断面積よりも大きくして、ヘッド内流路のうち絞り部より下流側部分を、流路断面積が一定かつ直線状にしたところに特徴を有する。
【００１０】
請求項４の発明は、請求項１乃至３のうち何れか１の請求項に記載のクーラント供給ガンにおいて、絞り部は、テーパ状に形成されたところに特徴を有する。
【００１１】
請求項５の発明に係る先端取付アタッチメントは、直線筒状をなすヘッド部の内側に形成されたヘッド内流路にベンチュリ部を備えて、ヘッド内流路を加圧給水源からの水が通過するときにクーラント原液を引き込んで混合し、ヘッド部の先端開口からクーラントを吐出するクーラント供給ガンのヘッド部の先端部に取り付けられる先端取付アタッチメントであって、直線筒状をなしてヘッド部と嵌合し、内側断面積を縮小する絞り部を備えたところに特徴を有する。
【００１２】
なお、クーラント濃度のばらつきが抑えられる原因としては、以下のことが推測される。即ち、従来のクーラント供給ガンでは、水とクーラント原液が十分に混合されずに吐出される可能性があったが、本発明のクーラント供給ガンでは、絞り部によって乱流を発生させて十分な混合が可能となったことが推測される。また、特に、従来のクーラント供給ガンにおいて、ヘッド内流路の先端開口側の端部で流路断面積を徐々に広げて流速を落とすような場合には、先端開口からベンチュリ部に大気が入り込む可能性があったが、本発明によれば、絞り部より上流側に混合液が溜まりやすくなり、大気の影響を抑えることが可能となったことが推測される。
【発明の効果】
【００１３】
［請求項１の発明］
請求項１の発明では、ヘッド内流路のうちヘッド部より下流側に絞り部を備えたので、クーラント濃度の安定化が図られる。
【００１４】
［請求項２の発明］
請求項２の発明によれば、ノズルと、分岐管と、ディフューザとでヘッド部が構成された既存のクーラント供給ガンのディフューザに先端スリーブを取り付けることで、ベンチュリ部より下流側に絞り部を配置することが可能となる。即ち、本発明によれば、既存のクーラント供給ガンを用いて、クーラント濃度の安定化が図られる
【００１５】
［請求項３の発明］
請求項３の発明によれば、絞り部のうち最も流路断面積が小さくなる下流側端部の流路断面積は、ディフューザのうち流路が最も狭くなる部分の流路断面積よりも大きくなっているので、絞り部を通過した後のクーラントの流速が過度に高められることが抑えられ、クーラントが勢いよく吐出されることが抑制される。しかも、ヘッド内流路のうち絞り部より下流側部分が、流路断面積が一定且つ直線状になっているので、吐出されるクーラントの直進性の向上が図られる。
【００１６】
［請求項４の発明］
請求項４の発明によれば、ヘッド部を中心軸回りに回転させた場合であっても、周方向全体に亘って、絞り部の内周面とクーラントの間に隙間が形成され難くなるので、ヘッド部の先端開口からベンチュリ部へ大気が入り込むことを一層抑制可能となり、クーラント濃度の更なる安定化が図られる。
【００１７】
［請求項５の発明］
請求項５の発明では、既存のクーラント供給ガンのヘッド部に、流路断面積が縮小される絞り部を有した先端取付アタッチメントを嵌合させることで、クーラント濃度の安定化が図られる。
【図面の簡単な説明】
【００１８】
【図１】本発明の第１実施形態に係るクーラント供給ガンの使用形態を示す図
【図２】クーラント供給ガンの側断面図
【図３】第２実施形態に係るクーラント供給ガンにおけるヘッド部の側断面図
【図４】（Ａ）変形例に係る先端筒部周辺の側断面図、（Ｂ）変形例に係る先端筒部周辺の側断面図
【図５】（Ａ）変形例に係る先端筒部周辺の側断面図、（Ｂ）変形例に係る先端筒部周辺の側断面図
【図６】（Ａ）変形例に係る先端筒部周辺の側断面図、（Ｂ）変形例に係る先端筒部周辺の側断面図
【図７】従来のクーラント供給ガンの側断面図
【発明を実施するための形態】
【００１９】
［第１実施形態］
以下、本発明の第１実施形態を、図１、図２及び図７を用いて説明する。図１に示すように、本実施形態のクーラント供給ガン１０は、斜め前方に向かって延びたグリップ部１１と、グリップ部１１の先端部から前方へ延びた直線筒状のヘッド部１２と、グリップ部１１の後面に取り付けられてグリップ部１１へ向けて傾動操作可能な操作レバー１３と、を備えたガン構造をなしている。
【００２０】
図２に示すように、グリップ部１１の内部には、グリップ部１１の先端部と基端部との間に亘って延びたグリップ内水路１４が形成されると共に、そのグリップ内水路１４の一部を構成する弁孔１６を開閉する開閉弁１５が備えられている。
【００２１】
開閉弁１５は、弁体１５Ａと弁孔１６の開口縁である弁座１５Ｂとで構成され、通常は、圧縮コイルバネ１７によって弁体１５Ａが弁座１５Ｂに押し付けられて弁孔１６を閉じている。そして、操作レバー１３がグリップ１１側に倒されると、その操作レバー１３に連動して弁体１５Ａが弁座１５Ｂから離間し、弁孔１６が開く。
【００２２】
また、グリップ部１１の基端部、即ち、ヘッド部１２から離れた側の端部は、給水栓５１（図１を参照。本発明の「加圧給水源」に相当する。）から延びた給水ホース５２が接続可能に構成されている。開閉弁１５が弁孔１６を閉じた状態で、グリップ部１１に給水ホース５２が接続されると、グリップ内流路１４内のうち弁孔１６の手前まで水が入り込む。そして、操作レバー１３の操作により開閉弁１５が弁孔１６を開くと、給水栓５１からの水が弁孔１６を通過するようになっている。
【００２３】
図２に示すように、ヘッド部１２の内側には、グリップ内流路１４に連通するヘッド内流路２０が形成され、このヘッド内流路２０にベンチュリ部２１が設けられている。具体的には、ヘッド部１２は、ノズル２２と、分岐管２３と、ディフューザ２４と、先端スリーブ４０とを順に接続してなり、このうちノズル２２、分岐管２３及びディフューザ２４によってベンチュリ部２１が形成されている。
【００２４】
ノズル２２は、前後方向に直線状に延びた筒状をなし、後端部がグリップ部１１の先端部と嵌合している。なお、図２の例では、ノズル２２は、大径部２２Ａから前方に小径部２２Ｂが突出した構造になっていて、大径部２２Ａが、グリップ部１１のうち弁孔１６の開口縁に設けられた環状突部と嵌合している。
【００２５】
また、ノズル２２には、流路断面積を徐々に絞って流速を高める第１絞り部３２が設けられている。具体的には、大径部２２Ａと小径部２２Ｂの内部には、前後方向に延びた大径ストレート孔３１Ａと小径ストレート孔３１Ｂとが設けられ、それら大径ストレート孔３１Ａと小径ストレート孔３１Ｂとがテーパ孔３１Ｃによって連絡されている。そして、このテーパ孔３１Ｃによって上述の第１絞り部３２が形成されている。
【００２６】
分岐管２３は、ブロック体３３に、前後方向に直線状に延びたストレート孔３３Ａと、ストレート孔３３Ａの中間部から側方に分岐して延びた分岐孔３３Ｂとが形成されたマニホールド構造をなしている。そして、ノズル２２とディフューザ２４とがストレート孔３３Ａの両端部に挿入されてブロック体３３と嵌合することで、ノズル２２とディフューザ２４との間が分岐管２３により連絡されている。
【００２７】
分岐管２３の分岐孔３３Ｂには、クーラント原液を貯留する原液貯留タンク６１（図１参照）から延びた原液供給ホース６２が接続される。そして、上述したように、給水栓５１から供給された水がグリップ内流路１４を経てヘッド内流路１５を流れると、その水の流速がノズル２２によって高められて分岐管２３内に負圧が形成される。これにより、クーラント原液が分岐管２３内に引き込まれ、水とクーラント原液とが混合されてクーラントが生成される。
【００２８】
ここで、本実施形態では、図１に示すように、原液供給ホース６２の途中に流量調整バルブ６５が設けられていて、その流量調整バルブ６５の開度によりクーラントの濃度が調整されるようになっている。なお、流量調整バルブ６５は、分岐路３３Ｂの途中に配置されて、分岐管２３に一体形成されてもよい。
【００２９】
図２に示すように、ディフューザ２４は、ノズル２２と同軸の筒状をなし、ノズル２２の前方でノズル２２に対して間隔を空けて配置されている。詳細には、ディフューザ２４は、大径部２４Ａと小径部２４Ｂとを前後に並べた構造になっていて、分岐管２３のストレート孔３３Ａに前側から小径部２４Ｂが挿入されている。
【００３０】
また、大径部２４Ａと小径部２４Ｂの内部には、前後方向に延びた大径ストレート孔３５Ａと小径ストレート孔３５Ｂが設けられ、それら大径ストレート孔３５Ａと小径ストレート孔３５Ｂとが拡径テーパ孔３４Ａによって連絡されている。
【００３１】
図２に示すように、本実施形態のクーラント供給ガン１０では、ディフューザ２４の前端部に、ヘッド部１２の先端部を構成する先端スリーブ４０が嵌合固定されている。そして、この先端スリーブ４０に、流路断面積が縮小された第２絞り部４１（本発明の「絞り部」に相当する。）が形成されている。詳細には、先端スリーブ４０の後端部は、ディフューザ２４の前端部に外側から嵌合し、その嵌合部分の前方でディフューザ２４の大径ストレート孔３５Ａに連通するテーパ孔４２Ｂによって第２絞り部４１が形成されている。
【００３２】
ここで、本実施形態では、第２絞り部４１のうち最も流路断面積が小さくなる下流側端部の内径Ｄは、ディフューザ２４のうち流路が最も狭くなる部分、即ち、小径ストレート孔３５Ｂの内径ｄよりも大きくなっている。言い換えれば、第２絞り部４１の下流側端部の流路断面積は、ディフューザ２４のうち流路が最も狭くなる部分の流路断面積よりも大きくなっている。これにより、第２絞り部４１を通過した後のクーラントの流速が過度に高められることが抑えられ、先端スリーブ４０の先端開口４０Ａ（本発明の「ヘッド部の先端開口」に相当する。）からクーラントが勢いよく吐出されることが抑制可能となる。なお、詳細には、第２絞り部４１の下流側端部の流路断面積は、ディフューザ２４の上流側端部、即ち、大径ストレート孔３５Ａの流路断面積より若干小さくなるように設定されている。
【００３３】
また、第２絞り部４１から先端スリーブ４０の先端開口４０Ａまでの間は、流路断面積が一定で直線状に延びたストレート孔４２Ｃになっている。これにより、先端開口４０Ａから吐出されるクーラントの直線性の向上が図られる。
【００３４】
ところで、図７には、従来のクーラント供給ガン９０が示されている。このクーラント供給ガン９０のヘッド部９１は、上述したノズル２２と、分岐管２３と、ディフューザ２４とで構成されていて、図２と図７の比較から明らかなように、本実施形態のクーラント供給ガン１０は、従来のクーラント供給ガン９０のヘッド部９１の先端部に、先端スリーブ４０を取り付けた構成になっている。なお、先端スリーブ４０が、請求項５の発明における「先端取付アタッチメント」に相当する。
【００３５】
本実施形態のクーラント供給ガン１０の構成に関する説明は以上である。次に、クーラント供給ガン１０の作用効果について説明する。
【００３６】
本実施形態のクーラント供給ガン１０は、例えば、生産設備における工作機械のクーラントタンクにクーラントを補給する際に用いられる。具体的には、図１に示すように、クーラント供給ガン１０のグリップ部１１の基端部には、生産設備に配設された給水栓５１からの給水ホース５２が接続され、ヘッド部１２における分岐管２３の分岐路３３Ｂには、クーラント原液の入った原液貯留タンク６１から延びた原液供給ホース６２が接続される。
【００３７】
次いで、所望のクーラント濃度となるように、流量調整バルブ６５の開度を調整する。そして、操作レバー１３を操作すると、図２に示すように、給水栓５１からの水がヘッド内流路２０を通過して、先端開口４０Ａから吐出する。このとき、ノズル２２の第１絞り部３２によって水の流速が高められて分岐管２３内が負圧となることで、クーラント原液を分岐管２３内に引き込んで、水とクーラント原液とを混合してクーラントを生成する。そして、ディフューザ２４の拡径テーパ孔３４Ａによってクーラントの流速が落とされ、先端開口４０Ａからクーラントが吐出される。
【００３８】
このように、本実施形態では、ヘッド部１２内に形成されたヘッド内流路２０にベンチュリ部２１を備えたことで、加圧給水源５１からの水がヘッド内流路２０を通過するときに、クーラント原液をベンチュリ部２１に引き込んで混合し、その混合液としてのクーラントをヘッド部１２の先端開口４０Ａから吐出する。
【００３９】
ここで、本実施形態のクーラント供給ガン１０では、ベンチュリ部２１より下流側に、流路断面積が縮小された第２絞り部４１が設けられているので、クーラント濃度の安定化が図られる。この原因としては、第２絞り部４１により乱流を発生させて、水とクーラント原液を十分に混合可能となったことや、第２絞り部４１よりも上流側をクーラントで満たして、先端開口４０Ａからベンチュリ部２１へ大気が入り込むことが抑制されたこと等が推測される。
【００４０】
また、本実施形態では、ノズル２２と、分岐管２３と、ディフューザ２４とでヘッド部９１が構成された従来のクーラント供給ガン９０のヘッド部９１に先端スリーブ４０を取り付けることで、ベンチュリ部２１より下流側に第２絞り部４１を配置することが可能となる。即ち、本実施形態によれば、既存のクーラント供給ガン９０を用いて、クーラント濃度の安定化が図られる。
【００４１】
［第２実施形態］
以下、本発明の第２実施形態を図３に基づいて説明する。本実施形態は、上記第１実施形態を変形したものであり、図３に示すように、ヘッド部１２の構造が主として異なっている。具体的には、本実施形態のクーラント供給ガン１０では、ノズル２２とディフューザ２４との間の距離を調整して、クーラント原液の引き込み量、即ち、クーラント濃度を調整することが可能となっている。
【００４２】
図３に示すように、本実施形態では、ディフューザ２４の大径部２４Ａの外周部には、雄螺子部２４Ｎが形成されていて、この雄螺子部２４Ｎが、分岐管２３のストレート孔３３Ａの内周面に形成された雌螺子部２３Ｎと螺合する。そして、大径部２４Ａの雌螺子部２３Ｎへの螺合深さにより、ノズル２２とディフューザ２４との間の距離が調整される。
【００４３】
詳細には、大径部２４Ａの外側には、アウタースリーブ２５が一体回転可能に固定されていて、このアウタースリーブ２５を回転操作することでディフューザ２４の螺合深さ、即ち、ディフューザ２４のノズル２２からの距離が調整される。
【００４４】
より詳細には、アウタースリーブ２５は、後側筒部２５Ｂの内径が前側筒部２５Ａの内径よりも大きい構造になっていて、前側筒部２５Ａがディフューザ２４と螺合し、後側筒部２５Ｂが分岐管２３の前端部に遊嵌される。そして、後側筒部２５Ｂの外周部に、例えば、クーラント濃度の目安となる目盛りが付され、この目盛りを分岐管２３に付された基準線に合わせることで、所望の濃度のクーラントを容易に調整すること可能となっている。
【００４５】
なお、本実施形態では、ノズル２２の小径部２２Ｂは、前方に向かうに従って外径が小さくなる先細り形状になっている。また、ディフューザ２４のうち小径部２４Ｂの後端部には、ノズル２２の小径部２２Ｂよりも大径でかつ流路断面積が徐々に絞られた縮径テーパ孔３４Ｂが形成されていて、ディフューザ２４内に流体が流れ込み易くなっている。なお、本実施形態のディフューザ２４では、上記第１実施形態で説明した小径ストレート孔３５Ｂが縮径テーパ孔３４Ｂから前方に延びている。
【００４６】
また、本実施形態では、ノズル２２は、大径部２２Ａの後端部に形成された後端突部２２Ｔがグリップ内流路１４に前側から挿入されてグリップ部１１と螺合している。ここで、例えば、分岐管２３のストレート孔３３Ａの内部にノズル２２を固定して備え、グリップ部１１の先端部に分岐管２３の後端部が螺合する構成であっても、クーラント原液を分岐管２３内に引き込むことは可能である。しかしながら、この構成では、分岐管２３の分岐孔３３Ｂを常に下向きとなるように分岐管２３を配置することが難しく、原液供給ホース６２の取り回しが困難となる。これに対し、本実施形態では、グリップ部１１の先端部にノズル２２が螺合し、そのノズル２２に分岐管２３が嵌合する構造になっているので、分岐孔３３Ｂが常に下向きとなるように分岐管２３を配置することが容易に行える。これにより、原液供給ホース６２の取り回しが容易となる。
【００４７】
本実施形態のクーラント供給ガン１０のその他の構成については、上記第１実施形態と同様になっているので、同一符号を付すことで説明を省略する。本実施形態によれば、上記第１実施形態と同様の効果を奏することができる。
【００４８】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４９】
（１）上記実施形態では、第２絞り部４１がテーパ状に形成されていたが、流路断面積を縮小させるものであれば、例えば、図４（Ａ）に示すように、流路断面の中心を上下左右の一方に偏らせるような台形状に形成されてもよい。なお、上記実施形態の構成によれば、ヘッド部１２を中心軸回りに回転させた場合であっても、周方向全体に亘って、第２絞り部４１の内周面とクーラントの間に隙間が形成され難くなるので、ヘッド部１２の先端開口４０Ａからベンチュリ部２１へ大気が入り込むことを一層抑制可能となり、クーラント濃度の更なる安定化が図られる。
【００５０】
（２）図４（Ｂ）に示すように、先端スリーブ４０内周部に前側へ折り返されるように延びて前方に向かうにつれて縮径されたテーパ壁４１Ｈを設け、そのテーパ壁４１Ｈによって第２絞り部４１を構成してもよい。
【００５１】
（３）上記実施形態では、先端スリーブ４０における第２絞り部４１から先端開口４０Ａまでの間は、直線状に延びたストレート孔４２Ｃになっていたが、図５（Ａ）及び図５（Ｂ）に示すように、流路断面積が徐々に拡大された拡径テーパ孔４３を一部又は全部に有した形状であってもよい。
【００５２】
（４）上記実施形態では、先端スリーブ４０は、ディフューザ２４の先端部（大径部２４Ａ）に外側から嵌合する構成であったが、図６（Ａ）及び図６（Ｂ）に示すように、ディフューザ２４の大径ストレート孔３５Ｂに挿入されて嵌合固定される構成であってもよい。なお、上記実施形態の構成によれば、分岐管２３に螺合させるためにディフューザ２４に設けられた雄螺子部２４Ｎを利用して、先端スリーブ４０をディフューザ２４に嵌合固定することが可能となる。
【符号の説明】
【００５３】
１０    クーラント供給ガン
１２    ヘッド部
２０    ヘッド内流路
２１    ベンチュリ部
２２    ノズル
２３    分岐管
２４    ディフューザ
４０    先端スリーブ（先端取付アタッチメント）
４１    第２絞り部（絞り部）
５１    給水栓（加圧給水源）
６１    原液貯留タンク
【図１】
2015208733.tif 000003
【図２】
2015208733.tif 000004
【図３】
2015208733.tif 000005
【図４】
2015208733.tif 000006
【図５】
2015208733.tif 000007
【図６】
2015208733.tif 000008
【図７】
2015208733.tif 000009